(57)【要約】【課題】  インターネットの不正使用による不具合を抑制することができる移動体用インターネット端末装置を提供すること。【解決手段】  制御回路１は、認証画面を表示装置７に表示しユーザー認証を行う（ステップＳ１、ステップＳ２）。次に制御回路１は、表示装置７の接続構成図を表示し操作デバイス４からの入力信号に基づいてアクセスレベル設定対象を決定する（ステップＳ３、ステップＳ４）。そして、制御回路１は、Ｃｏｏｋｉｅの受け入れ、ＪａｖａＳｃｒｉｐｔ（登録商標）の実行、メール利用、ファイルダウンロード許可、アクセス可能サイトの制限など設定項目画面を表示装置７に表示し操作デバイス４からの入力信号に基づいてアクセスレベルを設定する（ステップＳ５、ステップＳ６）。更に、制御回路１は、設定対象確認画面を表示し操作デバイス４からの入力信号に基づいてアクセスレベル設定対象を再度決定する（ステップＳ７、ステップＳ８）。【選択図】        図２
2005159665.tif 000002
【特許請求の範囲】
【請求項１】
移動体に搭載され、インターネット網に接続するインターネット接続手段と、
前記インターネット網を介して取得した各種の情報を出力する情報出力手段と、
前記インターネット接続手段による前記インターネット網へのアクセスレベルを設定するアクセスレベル設定手段と、
を備えることを特徴とする移動体用インターネット端末装置。
【請求項２】
前記情報出力手段は、複数台からなるものであり、当該複数台の情報出力手段は、個別に前記インターネット網を介して取得した各種の情報を出力するものであり、前記アクセスレベル設定手段は、当該複数台の情報出力手段のアクセスレベルを個別にもしくは一括で設定できることを特徴とする請求項１に記載の移動体用インターネット端末装置。
【請求項３】
前記アクセスレベルは、Ｃｏｏｋｉｅの受け入れを制限するか否かであることを特徴とする請求項１又は請求項２に記載の移動体用インターネット端末装置。
【請求項４】
前記アクセスレベルは、ＪａｖａＳｃｒｉｐｔの実行を制限するか否かであることを特徴とする請求項１又は請求項２に記載のインターネット端末装置。
【請求項５】
前記アクセスレベルは、メールの使用を許可するか否かであることを特徴とする請求項１又は請求項２に記載の移動体用インターネット端末装置。
【請求項６】
前記アクセスレベルは、ダウンロードを許可するか否かであることを特徴とする請求項１又は請求項２に記載の移動体用インターネット端末装置。
【請求項７】
前記アクセスレベルは、前記インターネット網上の所定のサイトへのアクセスを制限するか否かであることを特徴とする請求項１又は請求項２に記載の移動体用インターネット端末装置。
【発明の詳細な説明】
【技術分野】
【０００１】
本発明は、移動体に搭載された移動体用インターネット端末装置に関するものである。
【背景技術】
【０００２】
従来より、例えば特許文献１に開示されるように、車両などの移動体に搭載されたナビゲーション装置の表示装置を用いてインターネットが利用できる車載端末が知られている。
【０００３】
図５は特許文献１のナビゲーション装置とインターネット通信システムの全体構成を示すブロック図である。このナビゲーション装置１０は、中継機器としてのデータ通信アダプタ１１を介して携帯通信装置としての携帯電話機１２に接続されている。携帯電話機１２とデータ通信アダプタ１１との間は、パケット通信などの所定のデータ通信用プロトコルでデータ通信が可能な構成とされている。また、携帯電話機１２は、周知の基地局１３ａ，１３ｂなどを介して制御局１４及び携帯通信網１５を経由してデータ提供用のサーバー１６にアクセス可能であり。サーバー１６は、インターネット１７を経由して種々のサーバー１８ａ〜１８ｃなどに設けられるサイトにアクセスできる。そしてサーバー１８ａ〜１８ｃにて公開されている各種の情報は、ナビゲーション装置１０の表示装置に表示される。
【特許文献１】特開２００１−２１１４７９号公報
【発明の開示】
【発明が解決しようとする課題】
【０００４】
しかしながら、車両を貸したりする場合や、車両に表示装置が複数設けられているような場合などにおいて、その車両（表示装置）の正規のユーザーが、表示装置によるインターネットの使用状況を確認できない場合があった。このような場合、正規のユーザー以外の者が不良サイトや有料サイトへアクセスしたり、メールを無断で使用するなどインターネットを不正に使用することによって、心当たりの無い料金が請求されるなどの不具合が生じる場合があった。
【０００５】
本発明は、上記問題点に鑑みなされたものであり、インターネットの不正使用による不具合を抑制することができるインターネット端末装置を提供することを目的とする。
【課題を解決するための手段】
【０００６】
上記目的を達成するために請求項１に記載の移動体用インターネット端末装置は、移動体に搭載され、インターネット網に接続するインターネット接続手段と、インターネット網を介して取得した各種の情報を出力する情報出力手段と、インターネット接続手段によるインターネット網へのアクセスレベルを設定するアクセスレベル設定手段とを備えることを特徴とするものである。
【０００７】
これによれば、インターネット接続手段によるインターネット網へのアクセスレベルを設定できるので、正規のユーザーが情報出力手段の使用状況を確認できないような場合であっても、インターネットの不正使用による不具合を抑制することができる。
【０００８】
また、請求項２に記載の移動体用インターネット端末装置では、情報出力手段は、複数台からなるものであり、その複数台の情報出力手段は、個別にインターネット網を介して取得した各種の情報を出力するものであり、アクセスレベル設定手段は、その複数台の情報出力手段のアクセスレベルを個別にもしくは一括で設定できることを特徴とするものである。
【０００９】
これによれば、複数台の情報出力手段のアクセスレベルを個別にもしくは一括で設定できるので、複数台の情報出力手段の全ての使用状況を確認できない場合や所定の情報出力手段のみ使用状況を確認できないような場合など状況に応じて簡単な操作で適切に情報出力手段のアクセスレベルを設定することができる。
【００１０】
また、請求項３に記載の移動体用インターネット端末装置では、アクセスレベルは、Ｃｏｏｋｉｅの受け入れを制限するか否かであることを特徴とするものである。
【００１１】
これによれば、正規のユーザーが移動体用インターネット端末装置の使用状況を確認できないような場合には、Ｃｏｏｋｉｅの受け入れを制限することによって、クレジットカード番号などの個人情報の漏洩が防止できる。
【００１２】
また、請求項４に記載の移動体用インターネット端末装置では、アクセスレベルは、ＪａｖａＳｃｒｉｐｔ（登録商標）の実行を制限するか否かであることを特徴とするものである。
【００１３】
これによれば、正規のユーザーが移動体用インターネット端末装置の使用状況を確認できないような場合には、ＪａｖａＳｃｒｉｐｔ（登録商標）の実行を制限することによって、悪意のあるＪａｖａＳｃｒｉｐｔ（登録商標）によって情報出力手段に不具合が生じることを防止できる。（ＪａｖａＳｃｒｉｐｔは、ＳｕｎＭｉｃｒｏｓｙｓｔｅｍ．Ｉｎｃ．の登録商標である。）
【００１４】
また、請求項５に記載の移動体用インターネット端末装置では、アクセスレベルは、メールの使用を許可するか否かであることを特徴とするものである。
【００１５】
これによれば、正規のユーザーが移動体用インターネット端末装置の使用状況を確認できないような場合には、メールの使用を許可しないことによって、正規のユーザー以外の者に個人的なメールを読まれる心配がなくなる。
【００１６】
また、請求項６に記載の移動体用インターネット端末装置では、アクセスレベルは、ダウンロードを許可するか否かであることを特徴とするものである。
【００１７】
これによれば、正規のユーザーが移動体用インターネット端末装置の使用状況を確認できないような場合には、ダウンロードを許可しないようにすることによって、移動体用インターネット端末装置に不具合を生じさせるようなプログラムのダウンロードを防止できる。
【００１８】
また、請求項７に記載の移動体用インターネット端末装置では、アクセスレベルは、インターネット網上の所定のサイトへのアクセスを制限するか否かであることを特徴とするものである。
【００１９】
これによれば、正規のユーザーが移動体用インターネット端末装置の使用状況を確認できないような場合には、インターネット網上の所定のサイトへのアクセスを制限することによって、不良サイトや有料サイトにアクセスすることを防止できる。
【発明を実施するための最良の形態】
【００２０】
以下、本発明の実施の形態を図に基づいて説明する。なお、本実施の形態では、本発明の移動体用インターネット端末装置を車両に設けられたナビゲーション装置に適用した例について説明する。図１は、本発明の実施の形態におけるナビゲーション装置（移動体用インターネット端末装置）の概略構成を示すブロック図である。
【００２１】
ナビゲーション装置は、制御回路１、位置検出器２、ＧＰＳ受信機２ａ、ジャイロスコープ２ｂ、距離センサ２ｃ、地磁気センサ２ｄ、地図データ入力器３、操作デバイス４、送受信機５、外部メモリ６、表示装置７、リモコンセンサ８、リモコン９とを備える。
【００２２】
ナビゲーション装置全体の制御を行う制御回路１は、マイクロコンピュータを主体として構成されるもので、ＲＯＭやＲＡＭなどのメモリやインターフェース回路あるいはデータ転送用のバスラインを備えている。
【００２３】
この制御回路１には、あらかじめナビゲーション装置の制御用プログラムや、インターネット網に接続してホームページのデータを受信して閲覧するための閲覧用ソフトウェアであるブラウザが記憶されている。また、例えば電子メールを行うための通信プログラムとしてのメールソフトウェアなど必要なソフトウェアも記憶されている。
【００２４】
そして、この制御回路１には、自車の位置を検出するための位置検出器２が接続され、位置検出信号が与えられる。位置検出器２は、自車の位置を検出するための装置として、例えばＧＰＳ（Global Positioning System ）受信機２ａ、ジャイロスコープ２ｂ、距離センサ２ｃ、地磁気センサ２ｄなどの各種センサを備える。なお、これらのセンサ２ａ〜２ｄは、それぞれが性質の異なる検出誤差を有するので、互いに検出誤差を補完しながら精度の高い位置検出を行うようになっている。また、要求される検出精度のレベルによっては、全てのセンサ２ａ〜２ｄを備える必要はなく、必要なものを適宜選択して設ける構成とすることができる。
【００２５】
地図データ入力器３は、地図データおよび目印データなどを含んだ各種データを制御回路１に入力する。データを記憶させておく媒体としては、データの容量や取扱上の点から、ＣＤ−ＲＯＭやＤＶＤ−ＲＯＭなどを用いることが一般的に行なわれるが、メモリカードを用いるようにしても良い。
【００２６】
操作デバイス４は、データ入力や設定事項を入力するためのものであり、表示装置７と一体に構成され表示画面上に設定されるタッチスイッチ、もしくは表示装置７の周囲に設けられたメカニカルなキースイッチ等が用いられる。
【００２７】
送受信機５は、公衆電話網との接続が可能な携帯電話又は自動車電話からなる無線電話装置とモデムとを備えている。モデムは、制御回路１からの指令に従って、無線電話装置を介して決められた手順でインターネット網との接続を行う。また、モデムは、制御回路１からのデータを無線電話装置を介して送信可能な形態に符号化し、また無線電話装置を介して入力されるデータを制御回路１にて処理可能な形態に復号化する。
【００２８】
外部メモリ６は、制御回路１内で取り扱うデータや設定事項などを必要に応じて記憶しておくためのもので、例えばＥＥＰＲＯＭなどの不揮発性メモリユニットやＩＣカードなどの記憶可能なものを用いる。
【００２９】
表示装置７は、カラー液晶パネルなどにより構成される。本実施の形態では、例として表示装置７を車室内に３台設置した場合を説明する。３台の表示装置７は、それぞれフロントメインディスプレイ、リア１ディスプレイ、リア２ディスプレイとも称する。
【００３０】
この表示装置７の表示画面には、地図表示状態では、車両現在位置マークが所定位置に表示されると共に、その車両現在位置に対応した地図が地図データ入力器３から入力される地図データに基づいて表示され、その地図上には誘導経路などを付加して経路案内表示をするようになっている。また、表示装置７は、ブラウザを用いてインターネット網を介して取得した各種の情報を表示したり、設定画面を表示したりすることに用いられる。
【００３１】
リモコンセンサ８は、操作デバイス４から操作入力する代わりに、リモコン９を用いてデータあるいは設定事項などを入力するためのものであり、リモコン９からの赤外線信号を受信してこれを電気信号に変換して制御回路１に入力するようになっている。
【００３２】
ここで、本実施の形態におけるインターネットのアクセスレベルの設定方法に関して説明する。図２は、本発明の実施の形態におけるナビゲーション装置（移動体用インターネット端末装置）の処理動作を示すフロー図である。図３は、本発明の実施の形態における表示装置７の機能設定画面を示す表示例であり、（ａ）は機能選択画面であり、（ｂ）は認証画面である。図４は、本発明の実施の形態における表示装置７のアクセスレベル設定画面を示す表示例であり、（ａ）は選択画面であり、（ｂ）は設定項目画面であり、（ｃ）は設定対象確認画面である。
【００３３】
図２に示す処理動作は、図３（ａ）に示すような機能選択画面にて操作デバイス４を用いてアクセスレベル設定を示す信号が制御回路１に入力されるとスタートする。ステップＳ１では、制御回路１は、図３（ｂ）に示すような認証画面を表示装置７のフロントメインディスプレイに表示しユーザー認証を行う。ここでユーザーはＩＤ及びパスワードなどの個人認証のための情報を操作デバイス４にて入力する。
【００３４】
ステップＳ２では、制御回路１は、ステップＳ１にて行ったユーザー認証の結果、入力されたＩＤ及びパスワードが正しく正規のユーザー（ＯＫ）による操作であると判断した場合はステップＳ３へ進む。一方、制御回路１は、入力されたＩＤ及びパスワードが正しくなく正規のユーザーによる操作でないと判断した場合は処理を終了する。
【００３５】
ステップＳ３では、制御回路１は、図４（ａ）に示すような現在の表示装置７（フロントメインディスプレイ、リア１ディスプレイ、リア２ディスプレイ）の接続構成図である選択画面を表示装置７のフロントメインディスプレイに表示する。ここでユーザーは、操作デバイス４にて表示装置７のフロントメインディスプレイに表示してあるフロントメインディスプレイ、リア１ディスプレイ、リア２ディスプレイから所望のアクセスレベル設定対象（表示装置７）を選択する。
【００３６】
ステップＳ４では、制御回路１は、操作デバイス４からの入力信号に基づいてアクセスレベル設定対象を決定する。
【００３７】
ステップＳ５では、制御回路１は、図４（ｂ）に示すような決定された表示装置７（ここでは、リア２ディスプレイが選択された場合の設定項目画面を示している。）に対応する設定項目画面を表示装置７に表示する。この設定項目には、Ｃｏｏｋｉｅの受け入れ、ＪａｖａＳｃｒｉｐｔ（登録商標）の実行、メール利用、ファイルダウンロード許可、アクセス可能サイトの制限などが含まれる。なお、アクセスレベルを設定する場合、ユーザーはこの設定項目画面に示される設定項目単位に「制限する/制限しない」など示す信号を操作デバイス４にて制御回路１に入力する。
【００３８】
ここで、各設定項目に関して説明する。Ｃｏｏｋｉｅは、インターネット網上のウェブサイトを閲覧したときに、そのウェブサイトがユーザーのパソコン（ここでは、制御回路１）に作成するテキスト形式のファイルである。このファイルには、ウェブサイトで入力した名前や住所、クレジットカード番号などのさまざまな情報が保存されている。
【００３９】
例えば、オンラインショッピングのウェブサイトで買い物をした場合、そのウェブサイトで入力した名前や住所、クレジットカード番号などの情報が制御回路１にＣｏｏｋｉｅとして保存される。次回、そのオンラインショッピングのウェブサイトで買い物をする時には、ウェブサイトがＣｏｏｋｉｅの情報を読み取ってそれぞれの項目を自動的に入力する。
【００４０】
従って、Ｃｏｏｋｉｅの受け入れを許可していると、悪意の第三者にてインターネットが不正使用されることによって、クレジットカードなどを不正に使用される危険性がある。
【００４１】
ＪａｖａＳｃｒｉｐｔ（登録商標）は、元々は静的な情報しか表示できなかったウェブサイト（ホームページ）に様々な動的な機能を追加する方法の一つ（プログラム）である。このＪａｖａＳｃｒｉｐｔ（登録商標）には、悪意のあるプログラムもあり、例えば、ウェブサイトにアクセスするとブラウザやメールの新規作成画面が無数に開き続けるような不具合が生じる場合がある。
【００４２】
メール利用に関しては、メールの利用を許可しておくと、正規のユーザーの個人的な内容のメールが読まれたくない人に読まれたり、正規のユーザーの名前（Emailアドレス）を使って悪戯メールを送信されたりするなどの不具合が生じる場合がある。
【００４３】
ダウンロード許可及びアクセス制限に関しては、不良サイトや有料サイトにアクセスすることによって、ナビゲーション装置全体に不具合を生じさせるようなプログラムをダウンロードしたり、不正に料金を請求される可能性がある。
【００４４】
このように、正規のユーザーがインターネットの使用状況を確認できないような場合などに、インターネットが不正に使用されることによって様々な不具合が生じる可能性がある。
【００４５】
しかしながら本発明では、正規のユーザーが表示装置７の使用状況に応じてＣｏｏｋｉｅの受け入れ、ＪａｖａＳｃｒｉｐｔ（登録商標）の実行などを制限するか否かを設定することによって、インターネットの不正使用による不具合を抑制することができる。
【００４６】
例えば、車両を貸し出す場合や、後部座席にある表示装置７を同乗者が使用する場合などには、Ｃｏｏｋｉｅの受け入れ、ＪａｖａＳｃｒｉｐｔ（登録商標）の実行、アクセスを制限すると共に、メール利用、ダウンロードを許可しないとしておくとよい。
【００４７】
なお、アクセス制限を行う場合は、接続可能なサイトのみに接続するように正規のユーザーが予め選択したサイトのＵＲＬのみを表示装置７の初期画面に設定しておく。そして、正規のユーザーが予め選択したサイトのＵＲＬ以外のサイトを閲覧しようとした際には「アクセスできません」などを表示装置７にて通知する。
【００４８】
ステップＳ６では、制御回路１は操作デバイス４からの入力信号に基づいてアクセスレベルを設定する。
【００４９】
ステップＳ７では、制御回路１は、図４（ｃ）に示すような設定対象確認画面を表示装置７に表示する。ステップＳ６にて設定したアクセスレベルを設定対象に適応する際、「このディスプレイのみに反映」、「全ディスプレイに反映」、「後席のみに反映」などを再選択するためのものである。設定対象を再選択する場合、ユーザーは操作デバイス４にて設定対象確認画面に示される設定対象を選択することによって、その設定対象を示す信号を制御回路１に入力する。このように、「このディスプレイのみに反映」、「全ディスプレイに反映」、「後席のみに反映」などを再選択することによって簡単な操作で適切に設定対象にアクセスレベルを設定することができる。
【００５０】
ステップＳ８では、制御回路１は、操作デバイス４からの入力信号に基づいてアクセスレベル設定対象を決定する。
【００５１】
なお、本実施の形態では、移動体用インターネット端末装置を車両に設けられたナビゲーション装置に適用した例について説明したが、本発明はこれに限定されるものではない。例えば、バス、飛行機、列車などに設けられたインターネットを行える端末にも適用することができる。
【００５２】
なお、本実施の形態では、表示装置７としてフロントメインディスプレイ、リア１ディスプレイ、リア２ディスプレイの３つの表示装置７を設けた例について説明したが、本発明はこれに限定されるものではない。例えば、表示装置７を１つ設けるものであっても良く、４つ以上の表示装置７を設けるものであっても良い。
【図面の簡単な説明】
【００５３】
【図１】本発明の実施の形態におけるナビゲーション装置（移動体用インターネット端末装置）の概略構成を示すブロック図である。
【図２】本発明の実施の形態におけるナビゲーション装置（移動体用インターネット端末装置）の処理動作を示すフロー図である。
【図３】本発明の実施の形態における表示装置７の機能設定画面を示す表示例であり、（ａ）は機能選択画面であり、（ｂ）は認証画面である。
【図４】本発明の実施の形態における表示装置７のアクセスレベル設定画面を示す表示例であり、（ａ）は選択画面であり、（ｂ）は設定項目画面であり、（ｃ）は設定対象確認画面である。
【図５】従来技術におけるナビゲーション装置とインターネット通信システムの全体構成を示すブロック図である。
【符号の説明】
【００５４】
１  制御回路、２  位置検出器、２ａ  ＧＰＳ受信機、２ｂ  ジャイロスコープ、２ｃ  距離センサ、２ｄ  地磁気センサ、３  地図データ入力器、４  操作デバイス、５  送受信機、６  外部メモリ、７  表示装置、８  リモコンセンサ、９  リモコン
【図１】
2005159665.tif 000003
【図２】
2005159665.tif 000004
【図３】
2005159665.tif 000005
【図４】
2005159665.tif 000006
【図５】
2005159665.tif 000007